(57)【特許請求の範囲】
【請求項１】
自動車に搭載され、地図を表示するナビゲーション装置であって、
地図を定義する地図データを記憶した地図データ記憶手段と、
現在位置を算出する現在位置算出手段と、
設定された目的地までの経路を推奨ルートとして前記地図データに基づいて探索し設定する推奨ルート探索手段と、
前記推奨ルート探索手段が設定した推奨ルートに従って走行する場合に進路変更することになる進路変更ポイントに、現在位置算出手段が算出した現在位置が接近した場合に、前記進路変更ポイントの目印となる施設を目印施設として選定し、選定した目印施設の案内を含む進路変更ポイントにおける進路変更方向の案内を行う進路変更案内部と、
車両前方の渋滞または車両前方で自車が走行中の道路と横切る道路の渋滞の状況を検出する周囲状況検出手段とを有し、
前記進路変更案内部は、前記周囲状況検出手段によって前記渋滞が検出されている場合に、前記進路変更ポイントの目印として用いることのできる施設のうちから、２階に存在する施設を優先的に前記目印施設として選定し、前記周囲状況検出手段によって前記渋滞が検出されていない場合に、前記進路変更ポイントの目印として用いることのできる施設のうちから、１階に存在する施設を優先的に前記目印施設として選定することを特徴とするナビゲーション装置。
【請求項２】
請求項１記載のナビゲーション装置であって、
前記地図データ記憶手段は、前記地図データと共に、複数の施設の各々に対応して設けられた、対応する施設を前記地図上で表すために表示するアイコンを定義したアイコンデータを記憶し、
前記進路変更ポイントの目印として用いることのできる施設は、前記進路変更ポイント近傍の施設であって、かつ、当該施設を表すアイコンを定義する前記アイコンデータが存在する施設であって、
前記進路変更案内部は、
前記進路変更ポイントを含む地図上に進路変更方向を表す図形を表示する進路変更方向表示手段と、
前記進路変更ポイントを含む地図上に、前記アイコンデータに基づいて、前記選定された目印施設のアイコンを描画する目印アイコン描画手段とを有することを特徴とするナビゲーション装置。
【請求項３】
請求項１記載のナビゲーション装置であって、
前記進路変更案内部は、前記目印施設として選定した施設の案内を含む、前記進路変更ポイントにおける進路変更方向の音声による案内を行うことを特徴とするナビゲーション装置。
【請求項４】
地図を表示するナビゲーション装置であって、
地図を定義する地図データと、複数の施設の各々に対応して設けられた、対応する施設を前記地図上で表すために表示するアイコンを定義したアイコンデータとを記憶した記憶手段と、
地図を表示する範囲として設定された地理的範囲である地図表示範囲内の地図を地図画像として、前記記憶手段に記憶された地図データに基づいて描画する地図描画手段と、
前記地図描画手段が描画した地図上に前記アイコンデータに基づいて、前記地図表示範囲内にある施設を表すアイコンを描画するアイコン描画手段とを有し、
自車周囲の道路の渋滞の状況を検出する周囲状況検出手段とを有し、
前記アイコン描画手段は、前記周囲状況検出手段によって前記渋滞が検出されている場合に２階に存在する施設を表すアイコンを優先的に描画し、前記周囲状況検出手段によって前記渋滞が検出されていない場合に１階に存在する施設を表すアイコンを優先的に描画することを特徴とするナビゲーション装置。
【請求項５】
地図を表示するナビゲーション装置においてユーザに対して経路を案内する経路案内方法であって、
設定された目的地までの経路を推奨ルートとして前記地図データに基づいて探索し設定するステップと、
車両前方の渋滞または車両前方で自車が走行中の道路と横切る道路の渋滞の状況を検出するステップと、
前記推奨ルートに従って走行する場合に進路変更することになる進路変更ポイントに接近したときに、前記渋滞が検出されている場合には、前記進路変更ポイントの目印として用いることのできる施設のうちから、２階に存在する施設を優先的に前記目印施設として選定し、前記周囲状況検出手段によって前記渋滞が検出されていない場合には、前記進路変更ポイントの目印として用いることのできる施設のうちから、１階に存在する施設を優先的に前記目印施設として選定するステップと、
選定した目印施設の案内を含む進路変更ポイントにおける進路変更方向の案内を行うステップとを有することを特徴とする経路案内方法。
【発明の詳細な説明】
【技術分野】
【０００１】
本発明は、地図を用いた位置案内を行うナビゲーション装置における経路案内の技術に関するものである。
【背景技術】
【０００２】
ナビゲーション装置における経路案内の技術としては、目的地までの間に設定した推奨ルートに従って走行する場合に右左折等の進路変更を行うことになる交差点に接近したときに、当該交差点付近の地図を、当該地図上で進路変更方向を表す図形や、当該地図上で進路変更する交差点の目印となる施設を表すアイコンと共に表示する技術や、進路変更する方向と進路変更する交差点の目印となる施設を案内する音声を表示する技術が知られている（たとえば、特許文献１）。
【０００３】
また、ナビゲーション装置における地図上で施設を表すアイコンを表示する技術としては、ユーザから設定された階数の階に存在する施設のアイコンのみを表示する技術が知られている（たとえば、特許文献２）。
【特許文献１】特開2003-083761号公報
【特許文献２】特開2005-180957号公報
【発明の開示】
【発明が解決しようとする課題】
【０００４】
さて、ナビゲーション装置において、目的地までの間に設定した推奨ルートに従って走行する場合に右左折等の進路変更を行うことになる交差点に接近したときに、進路変更する方向と進路変更する交差点の目印となる施設と共に案内する場合、通常は、交差点の角の建物の施設のうちのユーザの視線高さに近い高さにある１階に存在する施設を、当該交差点の目印となる施設として案内することが、ユーザの当該目印となる施設の発見を容易化する上で好ましい。
【０００５】
しかしながら、たとえば、渋滞によって前方の道路が混雑している場合には、建物の１階に存在する施設はユーザにとって発見し難い施設となるなど、ユーザにとって発見し易い施設は、そのときどきの状況によって変化する。
そこで、本発明は、よりユーザによって発見し易い施設を、進路変更地点の目印として用いた進路変更案内を行うことを課題とする。
ところで、前述した、ユーザから設定された階数の階に存在する施設のアイコンのみを表示する技術は、よりユーザによって発見し易い施設を表すアイコンを優先的に地図上に表示することを目的とするものであるが、前述のように、ユーザによって発見し易い施設は、そのときどきの状況によって変化するものである。
【０００６】
そこで、本発明は、併せて、よりユーザによって発見し易い施設を表すアイコンを優先的に表した地図を表示することも課題とする。
【課題を解決するための手段】
【０００７】
前記課題達成のために、本発明は、自動車に搭載され、地図を表示するナビゲーション装置に、地図を定義する地図データを記憶した地図データ記憶手段と、現在位置を算出する現在位置算出手段と、設定された目的地までの経路を推奨ルートとして前記地図データに基づいて探索し設定する推奨ルート探索手段と、前記推奨ルート探索手段が設定した推奨ルートに従って走行する場合に進路変更することになる進路変更ポイントに、現在位置算出手段が算出した現在位置が接近した場合に、前記進路変更ポイントの目印となる施設を目印施設として選定し、選定した目印施設の案内を含む進路変更ポイントにおける進路変更方向の案内を行う進路変更案内部と、周囲の状況を検出する周囲状況検出手段とを備え、前記進路変更案内部において、前記進路変更ポイントの目印として用いることのできる施設のうちから、前記周囲状況検出手段が検出した周囲の状況に応じて、１階に存在する施設と２階に存在する施設とのうちの、いずれか一方を優先的に前記目印施設として選定するようにしたものである。
【０００８】
ここで、より具体的には、このようなナビゲーション装置において、前記地図データ記憶手段は、前記地図データと共に、複数の施設の各々に対応して設けられた、対応する施設を前記地図上で表すために表示するアイコンを定義したアイコンデータを記憶したものであってよく、前記進路変更ポイントの目印として用いることのできる施設は、前記進路変更ポイント近傍の施設であって、かつ、当該施設を表すアイコンを定義する前記アイコンデータが存在する施設であってよい。そして、この場合には、前記進路変更案内部は、前記進路変更ポイントを含む地図上に進路変更方向を表す図形を表示する進路変更方向表示手段と、前記進路変更ポイントを含む地図上に、前記アイコンデータに基づいて、前記選定された目印施設のアイコンを描画する目印アイコン描画手段とを含めて構成するようにする。
【０００９】
また、より具体的には、このようなナビゲーション装置は、前記進路変更案内部において、前記目印施設として選定した施設の案内を含む、前記進路変更ポイントにおける進路変更方向の音声による案内を行うものであってもよい。
これらのようなナビゲーション装置によれば、進路変更を案内する際に、進路変更ポイントの目印として、進路変更ポイントの目印として用いることのできる１階に存在する施設と、路変更ポイントの目印として用いることのできる２階に存在する施設とのうちの、周囲状況に応じて定まるユーザがより発見し易い方の施設を、目印施設として選定すると共に、選定した目印施設を用いて、ユーザに対して進路変更ポイントの案内を行えるようになる。
【００１０】
すなわち、たとえば、前記周囲状況検出手段が検出する状況を、車両前方の渋滞または車両前方で自車が走行中の道路と横切る道路の渋滞の状況とし、前前記進路変更案内部は、前記周囲状況検出手段によって前記渋滞が検出されている場合に前記２階に存在する施設を優先的に前記目印施設として選定し、前記周囲状況検出手段によって前記渋滞が検出されていない場合に前記１階に存在する施設を優先的に前記目印施設として選定するようにすれば、渋滞が発生しておらずユーザが１階に存在する施設を容易に発見できる状況にあるときには、当該１階に存在する施設を目印施設として用いた進路変更ポイントの案内を行いつつ、他車の存在によってユーザが１階に存在する施設を良好に視認できなくなる渋滞時には、１階に存在する施設よりもユーザがより良く視認できるであろうと推定される２階に存在する施設を目印施設として用いた進路変更ポイントの案内を行えるようになる。
【００１１】
また、前記課題達成のために、本発明は、自動車に搭載され、地図を表示するナビゲーション装置に、地図を定義する地図データを記憶した地図データ記憶手段と、現在位置を算出する現在位置算出手段と、設定された目的地までの経路を推奨ルートとして前記地図データに基づいて探索し設定する推奨ルート探索手段と、前記推奨ルート探索手段が設定した推奨ルートに従って走行する場合に進路変更することになる進路変更ポイントに、現在位置算出手段が算出した現在位置が接近した場合に、前記進路変更ポイントの目印となる施設を目印施設として選定し、選定した目印施設の案内を含む進路変更ポイントにおける進路変更方向の案内を行う進路変更案内部と、車両前方を撮影するカメラとを備え、前記進路変更案内部において、前記進路変更ポイントとして用いることのできる施設のうちの１階に存在する施設を前記カメラで撮影できない場合に、前記進路変更ポイントの目印として用いることのできる施設のうちの２階に存在する施設を優先的に前記目印施設として選定し、前記前記進路変更ポイントの目印として用いることのできる施設のうちの１階に存在する施設を前記カメラで撮影できる場合に当該１階に存在する施設を優先的に前記目印施設として選定するようにしたものである。
【００１２】
このようなナビゲーション装置によれば、１階に存在する施設をユーザが視認できる状況にある場合には、この１階に存在する施設を目印施設として用いた進路変更ポイントの案内を行いつつ、この１階に存在する施設をユーザが視認できない場合のみ、この１階に存在する施設に代えて、１階に存在する施設よりもユーザがより良く視認できると推定される２階に存在する施設を目印施設として用いた進路変更ポイントの案内を行えるようになる。
ここで、本発明は、また、前記課題達成のために、地図を表示するナビゲーション装置に、地図を定義する地図データと、複数の施設の各々に対応して設けられた、対応する施設を前記地図上で表すために表示するアイコンを定義したアイコンデータとを記憶した記憶手段と、地図を表示する範囲として設定された地理的範囲である地図表示範囲内の地図を地図画像として、前記記憶手段に記憶された地図データに基づいて描画する地図描画手段と、前記地図描画手段が描画した地図上に前記アイコンデータに基づいて、前記地図表示範囲内にある施設を表すアイコンを描画するアイコン描画手段と、周囲の状況を検出する周囲状況検出手段とを備え、前記アイコン描画手段は、前記周囲状況検出手段が検出した周囲の状況に応じて、１階に存在する施設を表すアイコンと、２階に存在する施設を表すアイコンとのうちの、いずれか一方を優先的に描画するようにしたものである。
【００１３】
このようなナビゲーション装置によれば、１階に存在する施設と２階に存在する施設とのうちの、周囲状況に応じて定まる、ユーザがより発見し易い方の施設を表すアイコンを優先的に地図上に表すことができるようになる。
すなわち、たとえば、前記周囲状況検出手段が検出する状況を、自車周囲の道路の渋滞の状況とし、前記アイコン描画手段において、前記周囲状況検出手段によって前記渋滞が検出されている場合に前記２階に存在する施設を表すアイコンを優先的に描画し、前記周囲状況検出手段によって前記渋滞が検出されていない場合に前記１階に存在する施設を表すアイコンを優先的に描画するようにすれば、渋滞が発生しておらずユーザが１階に存在する施設を容易に発見できる状況にあるときには、１階に存在する施設のアイコンを優先的に地図上に表示しつつ、他車の存在によってユーザが１階に存在する施設を良好に視認できなくなる渋滞時には、１階に存在する施設よりもユーザがより良く視認できるであろうと推定される２階に存在する施設のアイコンを優先的に地図上に表示することができるようになる。
【００１４】
なお、以上の各ナビゲーション装置において、前記周囲状況検出手段が検出する状況としては、周囲の渋滞の有無の状況の他、雨天の有無の状況や昼夜の別の状況などユーザの１階または２階に存在する施設の視認性に関わる任意の状況を用いることができる。
【発明の効果】
【００１５】
以上のように、本発明によれば、よりユーザによって発見し易い施設を目印として用いた進路変更案内を行うことができる。
また、本発明によれば、よりユーザによって発見し易い施設を表すアイコンを優先的に表した地図を表示することができる。
【発明を実施するための最良の形態】
【００１６】
以下、本発明の実施形態について説明する。
図１に、本実施形態に係るナビゲーションシステムの構成を示す。なお、本ナビゲーションシステムは自動車に搭載されるものである。
図示するように、ナビゲーションシステムは、ナビゲーション装置１と、操作部２と、表示装置３と、車両前方を撮影するカメラ４と、スピーカ５と、ＶＩＣＳ情報などの交通情報を受信する交通情報受信機６と、ワイパーの動作状況やヘッドライトの点灯状況などの車両の各種状態を検出する車両状態センサ７と、走行状態センサ７と、ＧＰＳ受信機８とを備えて構成される。ここで、走行状態センサ７は、角加速度センサや地磁気センサなどである方位センサや、車速パルスセンサなどである車速センサなどの車両の走行状態を検出するセンサ群である。
【００１７】
そして、ナビゲーション装置１は、地図を表す地図データを記憶したＤＶＤドライブやＨＤＤなどの記憶装置である地図データ記憶部１１、現在状態算出部１２、ルート探索部１３、カメラ４が撮影した画像に対して各種画像認識処理を行う画像認識処理部１４、スピーカ５から出力する各種案内音声を生成する案内音声生成部１５、メモリ１６、制御部１７、案内画像生成部１８、操作部２や表示装置３を用いたＧＵＩをユーザに提供するＧＵＩ制御部１９とを有する。
【００１８】
但し、以上のナビゲーション装置１は、ハードウエア的には、マイクロプロセッサや、メモリや、その他のグラフィックプロセッサやジオメトリックプロセッサ等の周辺デバイスを有する一般的な構成を備えたＣＰＵ回路であって良く、この場合、以上に示したナビゲーション装置１の各部は、マイクロプロセッサが予め用意されたプログラムを実行することにより具現化するプロセスとして実現されるものであって良い。また、この場合、このようなプログラムは、記録媒体や適当な通信路を介して、ナビゲーション装置１に提供されるものであって良い。
【００１９】
次に、図２に地図データ記憶部１１に記憶される地図データの内容を示す。
図示するように、地図データは、区画毎に対応して設けた区画データと、各区画の地理的範囲と区画データの対応などを記述した区画管理データを含む。
そして、各区画データは、対応する区画内の二次元の地図を表す地図ユニットと、ＰＯＩユニットと、交差点案内情報ユニットとを有している。
そして、ＰＯＩユニットは、ＰＯＩユニットの属する区画データに対応する区画内の地図上に表すＰＯＩアイコン毎に設けたＰＯＩデータレコードを有する。ここで、ＰＯＩアイコンとは、予め選定した、ユーザが興味を持つであろうと推定された施設（ＰＯＩ）の位置と種別を地図上で表すために用いるアイコンであり、個々のＰＯＩアイコンとしては、そのＰＯＩアイコンが表す施設の種別を表す図形が用いられる。また、個々のＰＯＩアイコンは、そのＰＯＩアイコンが表す施設に対応する地図上の位置に表示される。
【００２０】
さて、このようなＰＯＩアイコン毎に設けられる各ＰＯＩデータレコードには、ＰＯＩアイコンに対応する施設の識別子であるＰＯＩ番号、ＰＯＩアイコンに対応する施設の名称を表すＰＯＩ名称、ＰＯＩアイコンに対応する施設の「駐車場」、「郵便局」、「レストラン」といった種別を表すＰＯＩ種別、ＰＯＩアイコンを表示する座標を表すＰＯＩ座標、表示周囲状況条件とが格納されている。ここで、表示周囲状況条件には、ＰＯＩアイコンを表示するときに、少なくとも一つが満たされているべき周囲状況の条件を１または複数登録する。また、本実施形態で用いる周囲状況としては、前方道路の渋滞/非渋滞、夜/昼、雨/晴の３つの周囲状況がある。
【００２１】
ここで、１階に存在する施設であって、その上の２階にＰＯＩデータレコードが設けられた他の施設が存在する施設を表すＰＯＩデータレコードの表示周囲状況条件には、「非渋滞であって昼である」、「渋滞であって雨である」という二つの周囲状況の条件を登録する。また、１階に存在する施設であって、その上の２階に、当該１階に存在する施設よりも目立つ電飾看板を持つ施設であって対応するＰＯＩデータレコードが設けられた他の施設が存在しない施設のＰＯＩデータレコードには、「渋滞であって夜である」という周囲状況の条件も登録する。
ただし、１階及び２階に跨って存在する施設は、階に存在する施設であると同時に２階に存在する施設でもあるとしてよい。
【００２２】
さて、次に、１階に存在する施設であって、その上の２階にＰＯＩデータレコードが設けられた他の施設が存在しない施設を表すＰＯＩデータレコードの表示周囲状況条件と、２階に存在する施設であって、その下の１階にＰＯＩデータレコードが設けられた他の施設が存在しない施設を表すＰＯＩデータレコードの表示周囲状況条件には、周囲状況の条件として任意を登録する。
また、２階に存在する施設であって、その下の１階にＰＯＩデータレコードが設けられた他の施設が存在する施設を表すＰＯＩデータレコードの表示周囲状況条件には、「渋滞であって晴である」という周囲状況の条件を記述する。また、２階に存在する施設であって、その下の１階に、当該２階に存在する施設の電飾看板よりも目立つ施設であって対応するＰＯＩデータレコードが設けられた施設が存在しない施設には、「非渋滞であって夜である」という周囲状況の条件も登録する。
【００２３】
また、３階以上の階にのみ存在する施設を表すＰＯＩデータレコードの表示周囲状況条件には、条件無を登録しておく。
次に、交差点案内情報ユニットは、交差点と当該交差点の通過経路との組み合わせ毎に設けられ進路変更案内情報レコードを有する。交差点の通過経路は、交差点に進入するときに走行する道路（リンク）と交差点から退出するときに通る道路（リンク）の組み合わせとして特定される。
【００２４】
そして、各進路変更案内情報レコードは、対応する交差点の識別子である交差点番号、対応する交差点の通過経路を表す交差点通過経路、案内アイコンテーブル、案内音声テーブルとを有する。
そして、案内アイコンテーブルは、予め定めた周囲状況の条件毎のエントリを有し、各エントリには、対応する周囲状況の条件を表す使用周囲状況条件と、対応する周囲状況の条件が満たされたときに、対応する交差点を対応する通過経路で通過するときに交差点の目印として使用するアイコンのアイコン番号を表す案内アイコン番号が登録されている。
【００２５】
ここで、この案内アイコンテーブルには、図示するように、「渋滞であって晴である」、「渋滞であって雨である」、「非渋滞であって昼である」、「非渋滞であって夜である」という４つの使用周囲状況条件が各々登録されたエントリを有する。そして、対応する交差点を対応する通過経路で通過するときに交差点の目印として使用できるＰＯＩデータレコードが設けられた施設ののうちから、１つの施設を、２階に存在する施設が優先して選択されるようにしつつ選択し、選択した施設のＰＯＩデータレコードのアイコン番号を「渋滞であって晴である」の使用周囲状況条件を登録したエントリに案内アイコン番号として登録する。また、対応する交差点を対応する通過経路で通過するときに交差点の目印として使用できるＰＯＩデータレコードが設けられた施設のうちから、１つの施設を、１階に存在する施設が優先して選択されるようにしつつ選択し、選択した施設のＰＯＩデータレコードのアイコン番号を「渋滞であって雨である」の使用周囲状況条件を登録したエントリと、「非渋滞であって昼である」の使用周囲状況条件を登録したエントリに案内アイコン番号として登録する。
【００２６】
また、対応する交差点を対応する通過経路で通過するときに交差点の目印として使用できる施設のＰＯＩデータレコードのうちから、最も目立つ電飾看板を備えた施設のＰＯＩデータレコードを選択し、選択したＰＯＩデータレコードのアイコン番号を「非渋滞であって夜である」の使用周囲状況条件を登録したエントリに案内アイコン番号として登録する。ただし、選択したＰＯＩデータレコードの施設よりも目立つＰＯＩデータレコードが設けられた１階に存在する施設が、対応する交差点を対応する通過経路で通過するときに交差点の目印として使用できる施設のうちに存在する場合には、当該存在する施設を選択して、選択した施設を表すＰＯＩデータレコードのアイコン番号を案内アイコン番号として登録する。
【００２７】
次に、案内音声テーブルには、予め定めた周囲状況の条件毎のエントリを有し、各エントリには、対応する周囲状況の条件を表す使用周囲状況条件と、対応する周囲状況の条件が満たされたときに、対応する交差点を対応する通過経路で通過するときに用いる案内に用いる音声のデータが案内音声データとして登録されている。
【００２８】
ここで、この案内音声テーブルには、案内アイコンテーブルと同様に「渋滞であって晴である」、「渋滞であって雨である」、「非渋滞であって昼である」、「非渋滞であって夜である」という４つの使用周囲状況条件が各々登録されたエントリを有する。そして、各エントリの案内音声データには、当該エントリと同じ使用周囲状況条件が登録されている案内アイコンテーブルのエントリの案内アイコン番号で示されるＰＯＩデータレコードに登録されたＰＯＩ名称を対応する交差点の目印施設名称として用いて、対応する通過経路に従った対応する交差点の通過方向を、目印施設名称と共に案内する音声の音声データが登録されている。
【００２９】
さて、このような構成において、ナビゲーション装置１の現在状態算出部１２は、以下の処理を繰り返し行う。
すなわち、現在状態算出部１２は、走行状態センサ７やＧＰＳ受信機８の出力から推定される現在位置に対して、地図データ記憶部１１から読み出した地図データを用いたマップマッチング処理などを施して、現在位置として最も確からしい座標と、現在の進行方向として最も確からしい方向とを、それぞれ現在位置、現在進行方位として決定し、メモリ１６に設定する。
【００３０】
また、制御部１７は、ユーザの目的地設定要求に応じて、ユーザから操作部２、ＧＵＩ制御部１９を介して目的地の設定を受け付け、これをメモリ１６にセットする。そして、制御部１７は、メモリ１６にセットした目的地までの推奨ルートをルート探索部１３に探索させる。ルート探索部１３は、地図データ記憶部１１から読み出した地図データに基づいて、メモリ１６に設定されている現在位置から目的地までの最小コストの経路を、距離最小などの所定のコストモデルに基づいて推奨ルートとして算出し、算出した推奨ルートのデータを、メモリ１６にセットする。
【００３１】
また、制御部１７は、メモリ１６にセットされた現在位置が目的地近傍となったならば、目的地到着と判定し、メモリ１６にセットされている推奨ルートをクリアする処理も行う。
また、制御部１７は、以下の案内画像生成処理を繰り返す。
すなわち、制御部１７は、現在位置またはユーザより指定された位置を基準位置として設定し、メモリ１６にセットされた現在進行方位またはユーザによって選定された方位が上になるように表示方位を設定し、予め成されたユーザ設定や初期設定に応じて地図縮尺を設定する。そして、基準位置周辺の、表示方位と地図縮尺とに応じて定まる所定の大きさの地理的範囲を地図表示範囲として決定する。
【００３２】
そして、案内画像生成部１８に、決定した地図表示範囲内の地図を含む案内画像の描画を指示する。案内画像生成部１８は、制御部１７から案内画像の描画の指示を受けると、地図表示範囲に少なくとも一部が含まれる区画の区画データの地図ユニットに基づいて、地図表示範囲の地図を表す、設定された表示縮尺の設定された表示方位を上とする地図画像を描画する。また、案内画像生成部１８は、後述するＰＯＩアイコン描画処理を実行し、生成した地図画像上に、地図表示範囲内のＰＯＩを表すＰＯＩアイコンを描画する。また、案内画像生成部１８は、メモリ１６にセットされた現在位置が地図表示範囲に含まれる場合には、現在位置を地図画像上で表す、メモリ１６にセットされた現在進行方位を向いた現在位置マークを、地図画像上に描画する。また、案内画像生成部１８は、推奨ルートのデータがメモリ１６にセットされている場合には、地図表示範囲中の、推奨ルートの現在位置より目的地側の部分を表す推奨ルート図形を地図画像上に描画する。また、案内画像生成部１８は、メモリ１６にセットされた目的地が地図表示範囲に含まれる場合、目的地の位置を示す目的地マークも地図画像上に描画する。
【００３３】
そして、案内画像生成部１８は、以上の各描画を行った画像を案内画像とし、ＧＵＩ制御部１９を介して表示装置３に表示する。
図３ａは、このようにして表示された案内画像の例を示すものであり、図示するように案内画像は、地図画像３０１上に、ＰＯＩアイコン３０２と、現在位置マーク３０３や推奨ルート図形３０４が表されたものとなる。なお、地図表示範囲内に目的地が含まれる場合には、案内画像は、さらに目的地マークが地図画像３０１上に表示されたものになる。
【００３４】
以下、このような案内画像に含めるＰＯＩアイコンを描画する前述したＰＯＩアイコン描画処理について説明する。
図４に、このＰＯＩアイコン描画処理の手順を示す。
図示するように、このＰＯＩアイコン描画処理では、まず、地図表示範囲を取得する（ステップ４０２）。そして、次に、現在の周囲状況を算定する（ステップ４０４）。すなわち、このステップ４０４では、交通情報受信機６で受信した交通情報に含まれる渋滞情報より自車走行中路線の自車前方部分の道路や、自車前方で自車走行中路線と交差する路線の交差部分の道路などの自車周辺の道路が渋滞中であるかどうかを判定し、判定結果に応じて渋滞／非渋滞の周囲状況を算定する。また、車両状態センサ７で取得したウインカ動作の有無より雨／晴の周囲状況を算定する。なお、ウインカが動作している場合には雨、動作していない場合には晴とする。また、ヘッドライトの点灯の有無より夜／昼の周囲状況を算定する。なお、ヘッドライトが点灯している場合には夜、点灯していない場合には昼とする。
ただし、車周辺の道路が渋滞中であるかどうかは、カメラ４で撮影した自車前方の画像中の他車を認識する画像認識処理を画像認識処理部１４で行った結果得られる他車の存在密度などに応じて判定するようにしてもよい。
【００３５】
さて、現在周囲状況を算定したならば（ステップ４０４）、次に、ステップ４０２で取得した地図表示範囲内のＰＯＩ座標を持つＰＯＩデータレコードを地図データより抽出する（ステップ４０６）。
そして、抽出した各ＰＯＩデータレコードに対して（ステップ４０８、４１４、４１６、以下の処理を行う。
すなわち、ステップ４０４で算定した現在の周囲状況が、ＰＯＩデータレコードに登録されている表示周囲状況条件を満たしているかどうかを調べ（ステップ４１０）、満たしていない場合には、そのＰＯＩデータレコードのＰＯＩアイコンの描画は行わず、そのまま、当該ＰＯＩデータレコードについての処理を終える。ここで、ＰＯＩデータレコードに登録されている表示周囲状況条件に任意が設定されている場合には、無条件に表示周囲状況条件を満たしているものとする。また、ＰＯＩデータレコードに登録されている表示周囲状況条件として条件無が設定されている場合には、無条件に表示周囲状況条件を満たしていないものとする。ただし、条件無の場合は、予め成されたユーザ設定などに応じて、無条件に表示周囲状況条件を満たしているとするようにしてもよい。
【００３６】
一方、現在の周囲状況が、ＰＯＩデータレコードに登録されている表示周囲状況条件を満たしている場合には（ステップ４１０）、そのＰＯＩデータレコードに登録されているＰＯＩ種別に応じた図形を用いたＰＯＩアイコンを、そのＰＯＩデータレコードに登録されているＰＯＩ座標に対応する地図画像上の位置に描画する（ステップ４１２）。
【００３７】
そして、ステップ４０６で抽出した全てのＰＯＩデータレコードについて以上の処理を行ったならば、ＰＯＩアイコン描画処理を終了する。
ここで、このようなＰＯＩアイコン描画処理の処理例を示す。
いま、図３ｂに示すように、１階に郵便局となっており２階がレストランとなっているビル３１１と、１階がＭハンバーガ店となっており２階が書店となっているビル３１２が存在する場合を考える。
このような場合に、本実施形態に係るＰＯＩアイコン描画処理によれば、非渋滞であって昼である場合には、図３ｃに示すように、案内画像のビル３１１の位置には１階の郵便局を表すＰＯＩアイコン３２１が表示され、ビル３１２の位置には１階のＭハンバーガ店を表すＰＯＩアイコン３２２が表示されることになる。ここで、非渋滞であって昼である場合に１階に存在する施設を表すＰＯＩアイコンを表示するのは、このような状況では、ユーザの視線高さにある１階に存在する施設の方が２階に存在する施設よりも、ユーザがより発見し易いと考えられるからである。
【００３８】
また、本実施形態に係るＰＯＩアイコン描画処理によれば、渋滞であって晴である場合には、図３ｄに示すように、案内画像のビル３１１の位置には２階のレストランを表すＰＯＩアイコン３３１が表示され、ビル３１２の位置には２階の書店を表すＰＯＩアイコン３３２が表示されることになることになる。ここで、渋滞で晴れである場合に、２階に存在する施設を表すＰＯＩアイコンを表示するのは、このような渋滞が発生している状況では、他車によって１階に存在する施設が間欠的に隠されてしまい、２階に存在する施設よりも発見し難くなっていると考えられるからである。
【００３９】
また、本実施形態に係るＰＯＩアイコン描画処理によれば、渋滞であって雨である場合には、図３ｃに示すように、案内画像のビル３１１の位置には１階の郵便局を表すＰＯＩアイコン３２１が表示され、ビル３１２の位置には１階のＭハンバーガ店を表すＰＯＩアイコン３２２が表示されることになる。ここで、このように渋滞であっても、雨である場合には、１階に存在する施設を表すＰＯＩアイコンを表示するのは、このような状況では、ワイパー拭き取り範囲外の、フロントウインドウの雨滴や曇りのために２階に存在する施設は、他車によって間欠的に隠されてしまう１階に存在する施設よりも、ユーザにとって発見し難くなると考えられるからである。
【００４０】
なお、非渋滞であって夜である場合には、案内画像のビル３１１の位置には１階の郵便局と２階のレストランのうちの予め設定した夜により発見し易い方の施設の表すＰＯＩアイコンが表示され、ビル３２１の位置には１階のＭハンバーガ店と２階の書店のうちの予め設定した夜により発見し易い方の施設の表すＰＯＩアイコンが表示されることになる。
なお、以上のＰＯＩアイコン描画処理では、算定した現在の周囲状況が、登録されている表示周囲状況条件を満たしていないＰＯＩデータレコードのＰＯＩアイコンの描画は行わないようにしたが、このようなＰＯＩデータレコードのＰＯＩアイコンの描画も行うようにしてもよい。ただし、この場合には、算定した現在の周囲状況が登録されている表示周囲状況条件を満たしていないＰＯＩデータレコードのＰＯＩアイコンが、算定した現在の周囲状況が登録されている表示周囲状況条件を満たしているＰＯＩデータレコードのＰＯＩアイコンの視認を妨げることのないように、算定した現在の周囲状況が登録されている表示周囲状況条件を満たしていないＰＯＩデータレコードのＰＯＩアイコンよりも、算定した現在の周囲状況が登録されている表示周囲状況条件を満たしているＰＯＩデータレコードのＰＯＩアイコンが優先的に表示されるようにする。すなわち、たとえば、算定した現在の周囲状況が登録されている表示周囲状況条件を満たしているＰＯＩデータレコードのＰＯＩアイコンと、算定した現在の周囲状況が登録されている表示周囲状況条件を満たしていないＰＯＩデータレコードのＰＯＩアイコンの位置が重なる場合には、必ず、算定した現在の周囲状況が登録されている表示周囲状況条件を満たしているＰＯＩデータレコードのＰＯＩアイコンが、算定した現在の周囲状況が登録されている表示周囲状況条件を満たしていないＰＯＩデータレコードのＰＯＩアイコンの上に描画されるように、各ＰＯＩアイコンの描画を行うようにする。
【００４１】
さて、このような案内画像の描画を行うナビゲーション装置１において、制御部１７は、さらに、ユーザに対して推奨ルートに従った進路の変更を案内する進路変更案内処理も行う。
図５に、この進路変更案内処理の手順を示す。
図示するように、この処理では、まず、メモリ１６に設定されている推奨ルート、現在進行方位、現在位置を取得する（ステップ５０２）。そして、推奨ルートに従って通過予定の交差点であって、推奨ルートに従って走行した場合に当該交差点で進路を変更することになる進行方向上前方の交差点である進路変更交差点と、現在位置との距離が、所定距離（たとえば、５０ｍ）以内に接近したかどうかを調べ（ステップ５０４）、接近していなければステップ５０２からの処理に戻る。
【００４２】
一方、進路変更交差点が所定距離以内に接近したならば、前述したＰＯＩアイコン描画処理のステップ４０４と同様にして、現在の周囲状況を算定する（ステップ５０６）。
そして、所定距離以内に接近した進路変更交差点である接近交差点の交差点番号と、推奨ルートに整合する当該交差点の交差点通過経路とが登録された進路変更案内情報レコードを抽出する（ステップ５０８）。なお、交差点番号は、地図ユニット中に地図上の交差点に対応づけて記述されている。
次に、制御部１７は、案内画像生成部１８に、接近交差点付近の地図と、当該接近交差点付近の地図上で、ステップ５０８で抽出した進路変更案内情報レコードに登録された交差点通過経路に従った接近交差点の進路変更方向を表す接近交差点通過方向案内図形とを表した進路変更案内画像を描画させる（ステップ５１０）。
また、案内画像生成部１８に、ステップ５０８で抽出した進路変更案内情報レコードの案内アイコンテーブルの、ステップ５０６で算定した現在周囲状況が満たす条件が使用周囲状況条件として登録されたエントリの案内アイコン番号で示されるＰＯＩデータレコードに登録されているＰＯＩ種別に応じた図形を用いたＰＯＩアイコンを、そのＰＯＩデータレコードに登録されているＰＯＩ座標に対応する、進路変更案内画像上の位置に描画させる（ステップ５１２）。
【００４３】
また、次に、ＧＵＩ制御部１９を介して、進路変更案内ウインドウを表示装置３の表示画面上に設定すると共に、案内画像生成部１８に、ステップ５１０、５１２で描画させた進路変更案内画像を進路変更案内ウインドウに表示させる（ステップ５１４）。
また、案内音声生成部１５に、ステップ５０８で抽出した進路変更案内情報レコードの案内音声テーブルの、ステップ５０６で算定した現在周囲状況が満たす条件が使用周囲状況条件として登録されたエントリの音声データが表す音声をスピーカ５に出力させる（ステップ５１６）。
【００４４】
そして、現在位置の接近交差点の通過を待って（ステップ５１８）、進路変更案内ウインドウを消去し（ステップ５２０）、ステップ５０２からの処理に戻る。
以上、進路変更案内処理について説明した。
このような進路変更案内処理の処理例を示す。
いま、図６ａに示すように、推奨ルートに従って左折することになる交差点６０１に接近している状況を考える。そして、この交差点６０１の目印として用いることができる施設としては、図６ｂに示すように交差点６０１の角に存在するビル６１１の１階の郵便局と当該ビル６１１の２階のレストランがあるものとする。
【００４５】
このような場合、進路変更案内処理によれば、交差点６０１に接近すると、図３ｃ、ｄのように進路変更案内ウインドウ６１０が設定される。なお、図示するように、本実施形態では、表示装置３の表示画面の右側に進路変更案内ウインドウ６１０を設定すると共に、進路変更案内ウインドウ６１０を設定している期間中は、表示装置３の表示画面の左側に案内画像を地図表示範囲を縮小して表示するようにしている。
【００４６】
そして、設定された進路変更案内ウインドウ６１０中には、交差点６０１付近の地図と、交差点６０１付近の地図上で左折方向を表す矢印状の図形である接近交差点通過方向案内図形６１２とを含む進路変更案内画像が表示される。
また、非渋滞であって昼である場合には、図６ｃに示すように、進路変更案内ウインドウ６１０中の進路変更案内画像のビル６１１の位置には１階の郵便局を表すＰＯＩアイコン６２１が、交差点６０１の目印として表示されることになる。また、併せて、この１階の郵便局を目印として用いた音声による進路変更案内が、たとえば、「次の交差点を左折です。郵便局が目印です。」といったように行われることになる。ここで、非渋滞であって昼である場合に、このように進路変更する交差点の目印として、１階に存在する施設を用いるのは、このような状況では、ユーザの視線高さにある１階に存在する施設の方が２階に存在する施設よりも、ユーザがより発見し易いと考えられるからである。
【００４７】
一方、渋滞であって晴である場合には、図６ｄに示すように、進路変更案内ウインドウ６１０中の進路変更案内画像のビル６１１の位置には２階のレストランを表すＰＯＩアイコン６３１が、交差点６０１の目印として表示されることになる。また、併せて、この２階のレストランを目印として用いた音声による進路変更案内が、たとえば、「次の交差点を左折です。２階のレストランが目印です。」といったように行われることになる。ここで、渋滞で晴れである場合に、進路変更する交差点の目印として、２階に存在する施設を用いるのは、このような渋滞が発生している状況では、他車によって１階に存在する施設が間欠的に隠されてしまい、２階に存在する施設よりも発見し難くなっていると考えられるからである。
【００４８】
また、渋滞であって雨である場合には、図６ｃに示すように、進路変更案内ウインドウ６１０中の進路変更案内画像のビル６１１の位置には１階の郵便局を表すＰＯＩアイコン６２１が、交差点６０１の目印として表示されることになる。また、併せて、この１階の郵便局を目印として用いた音声による進路変更案内が、たとえば、「次の交差点を左折です。郵便局が目印です。」といったように行われることになる。ここで、このように渋滞であっても、雨である場合には、進路変更する交差点の目印として、１階に存在する施設を用いるのは、このような状況では、ワイパー拭き取り範囲外の、フロントウインドウの雨滴や曇りのために２階に存在する施設は、他車によって間欠的に隠されてしまう１階に存在する施設よりも、ユーザにとって発見し難くなると考えられるからである。
【００４９】
なお、非渋滞であって夜である場合には、ビル６１１の位置には１階の郵便局と２階のレストランのうちの予め設定した夜により発見し易い方の施設を、進路変更する交差点の目印として用いた、目印とした施設のＰＯＩアイコンの表示や、音声による目印とした施設の案内を含む進路変更案内が行われることになる。
【００５０】
以上、本発明の実施形態について説明した。
以上のように本実施形態によれば、１階に存在する施設と、２階に存在する施設とのうちの、渋滞の有無や雨天の別や昼夜の別などの周囲状況に応じて定まるユーザがより発見し易い方の施設を表すＰＯＩアイコンをユーザに対して優先的に提示する。すなわち、本実施形態によれば、よりユーザによって発見し易い施設を表すＰＯＩアイコンを優先的に地図上に表示することができる。
【００５１】
また本実施形態によれば、交差点における進路変更を案内する際に、交差点の目印として用いることのできる１階に存在する施設と、交差点の目印として用いることのできる２階に存在する施設とのうちの、渋滞の有無や雨天の別や昼夜の別などの周囲状況に応じて定まるユーザがより発見し易い方の施設を、交差点の目印として選定する。そして、選定した施設のＰＯＩアイコンを用いた地図上での進路案内や、選定した施設の案内を含む音声による進路案内を行う。したがって、本実施形態によれば、よりユーザによって発見し易い施設を、進路変更地点の目印として用いた進路変更案内を行うことができるようになる。
【００５２】
ところで、以上では周辺状況として、渋滞/非渋滞、雨/晴、夜/昼を用いたが、周辺状況としては、この他の、１階や２階に存在する施設の視認性に関わる任意の状況を用いるようにして良い。
また、以上の実施形態では、ＰＯＩデータレコードに対応するＰＯＩアイコンを表示すべき周囲状況の条件を表示周囲状況条件として予め記述するようにしたが、このように表示周囲状況条件を記述する代わりに、ＰＯＩデータレコードに対応する施設の存在する階の階数を記述するようにし、各時点における周囲状況に応じた階が記述されたＰＯＩデータレコードに対応するＰＯＩアイコンを表示するようにしてもよい。なお、この場合には、たとえば、周囲状況が「渋滞であって晴である」という条件を満たす場合には周囲状況に応じた階は２階とし、周囲状況が「渋滞であって雨である」という条件または「非渋滞である」という条件を満たす場合には周囲状況に応じた階は１階とする。
【００５３】
また、以上の実施形態では、案内アイコンテーブルと案内音声テーブルに、対応する交差点を対応する交差点の通過経路で通過する場合に交差点の目印とする施設を、ＰＯＩ番号または目印施設名称の音声として直接記述したが、交差点の目印とする施設は、接近した交差点と推奨ルートに従った交差点の通過経路と周辺状況に応じて算定するようにしてもよい。すなわち、この場合には、ＰＯＩデータレコードに対応する施設の存在する階の階数を記述すると共に、接近した交差点と推奨ルートに従った交差点の通過経路に応じて、接近した交差点の目印として用いることのできる位置にある施設のＰＯＩデータレコードを登録されているＰＯＩ座標に応じて探索する。そして、探索したＰＯＩデータレコードのうち、周囲状況に応じた階が記述されたＰＯＩデータレコードに対応するＰＯＩアイコンを表示するようにする。なお、この場合も、たとえば、周囲状況が「渋滞であって晴である」という条件を満たす場合には周囲状況に応じた階は２階とし、周囲状況が「渋滞であって雨である」という条件または「非渋滞である」という条件を満たす場合には周囲状況に応じた階は１階とする。
【００５４】
また、以上の実施形態における進路変更案内処理では、交差点における進路変更を案内する際に、交差点の目印として、交差点の目印として用いることのできる１階に存在する施設と、交差点の目印として用いることのできる２階に存在する施設とのうちの、渋滞の有無や雨天の別や昼夜の別などの周囲状況に応じて定まるユーザがより発見し易い方の施設を選定した。しかし、この進路変更案内処理では、画像認識処理部１４の画像認識処理を用いてカメラ４で撮影した画像から交差点の目印として用いることのできる１階に存在する施設をユーザが視認できるかどうかを調べ、当該１階に存在する施設が視認できる場合には、当該１階に存在する施設を交差点の目印として選定し、当該１階に存在する施設が視認できない場合に、交差点の目印として用いることのできる２階に存在する施設を、交差点の目印として選定するようにしてもよい。ここで、１階に存在する施設が視認できるかどうかは、たとえば、当該施設のＰＯＩアイコンに当該施設または施設の一部（施設の看板など）の画像を記憶しておき、画像認識処理部１４においてカメラ４で撮影した画像と記憶しておいた画像とパターンマッチングを行って、カメラ４で撮影した画像中に記憶しておいた画像とマッチする部分が含まれているかどうかを判定し、含まれている場合に当該施設を視認できると判定し、含まれていない場合に当該視認できないと判定することなどにより行うことができる。
また、以上の実施形態は、１階部分に、その施設を識別する上での外観上の特徴を有する施設を、１階に存在する施設、２階部分に、その施設を識別する上での外観上の特徴を有する施設を２階に存在する施設として実施とするようにしてもよい。また、この場合には、１階部分にも２階部分にもその施設を識別する上での外観上の特徴を有する施設は、１階に存在する施設であって、同時に、２階に存在する施設でもあるとしてよい。
【図面の簡単な説明】
【００５５】
【図１】本発明の実施形態に係るナビゲーション装置の構成を示すブロック図である。
【図２】本発明の実施形態に係るナビゲーション装置が備える地図データを示す図である。
【図３】本発明の実施形態に係るナビゲーション装置の表示画面例を示す図である。
【図４】本発明の実施形態に係るＰＯＩアイコン描画処理を示すフローチャートである。
【図５】本発明の実施形態に係る進路変更案内処理を示すフローチャートである。
【図６】本発明の実施形態に係るナビゲーション装置の表示画面例を示す図である。
【符号の説明】
【００５６】
１…ナビゲーション装置、２…操作部、３…表示装置、４…カメラ、５…スピーカ、６…交通情報受信機、７…車両状態センサ、７…走行状態センサ、８…ＧＰＳ受信機、１１…地図データ記憶部、１２…現在状態算出部、１３…ルート探索部、１４…画像認識処理部、１５…案内音声生成部、１６…メモリ、１７…制御部、１８…案内画像生成部、１９…ＧＵＩ制御部。
【図１】
0004689458.tif 000002
【図２】
0004689458.tif 000003
【図３】
0004689458.tif 000004
【図４】
0004689458.tif 000005
【図５】
0004689458.tif 000006
【図６】
0004689458.tif 000007